【手続補正書】
【提出日】平成17年9月20日(2005.9.20)
【手続補正１】
【補正対象書類名】明細書
【補正対象項目名】発明の名称
【補正方法】変更
【補正の内容】
【発明の名称】画像形成システム、画像形成装置およびその設定方法
【手続補正２】
【補正対象書類名】明細書
【補正対象項目名】特許請求の範囲
【補正方法】変更
【補正の内容】
【特許請求の範囲】
【請求項１】  画像データに基づいて用紙に画像を形成する画像形成装置と、情報処理装置とをネットワークで接続して成る画像形成システムにおいて、
前記情報処理装置が、ユーザが前記画像形成装置に対する設定内容を入力する設定内容入力手段と、前記設定内容入力手段によって入力された設定内容を前記画像形成装置に送信する設定内容送信手段とを有し、
前記画像形成装置が、前記設定内容送信手段によって送信された設定内容を受信する設定内容受信手段と、前記設定内容受信手段によって受信した設定内容が、該画像形成装置が取り扱うことができる文字、記号で構成されている場合にのみ設定可能と判定する判定手段と、前記判定手段によって前記設定内容が設定可能と判定された場合に該設定内容に基づいた設定を行う設定手段とを有する
ことを特徴とする画像形成システム。
【請求項２】  前記判定手段は、前記設定内容受信手段によって受信した設定内容が、該設定内容が設定される項目に予め定められた規則に反するものでない場合にのみ設定可能と判定する第１の判定手段と、前記設定内容受信手段によって受信した設定内容が、該画像形成装置が取り扱うことができる文字、記号で構成されている場合にのみ設定可能と判定する第２の判定手段と、を有し、
前記設定手段は、前記第１の判定手段および第２の判定手段によって前記設定内容が設定可能と判定された場合に該設定内容に基づいた設定を行う、
ことを特徴とする請求項１に記載の画像形成システム。
【請求項３】  前記第１の判定手段および第２の判定手段によって前記設定内容が設定可能と判定されなかった場合に該設定可能と判定されなかった理由をユーザに通知する通知手段を備えたことを特徴とする請求項２に記載の画像形成システム。
【請求項４】  ネットワークを介して情報処理装置と接続される画像形成装置において、
前記情報処理装置から送信された設定内容を受信する設定内容受信手段と、
前記設定内容受信手段によって受信した設定内容が、該画像形成装置が取り扱うことができる文字、記号で構成されている場合にのみ設定可能と判定する判定手段と、
前記判定手段によって前記設定内容が設定可能と判定された場合に該設定内容に基づいた設定を行う設定手段と、
を有することを特徴とする画像形成装置。
【請求項５】  前記判定手段は、前記設定内容受信手段によって受信した設定内容が、該設定内容が設定される項目に予め定められた規則に反するものでない場合にのみ設定可能と判定する第１の判定手段と、前記設定内容受信手段によって受信した設定内容が、該画像形成装置が取り扱うことができる文字、記号で構成されている場合にのみ設定可能と判定する第２の判定手段と、を有し、
前記設定手段は、前記第１の判定手段および第２の判定手段によって前記設定内容が設定可能と判定された場合に該設定内容に基づいた設定を行う、
ことを特徴とする請求項４に記載の画像形成装置。
【請求項６】  前記第１の判定手段および第２の判定手段によって前記設定内容が設定可能と判定されなかった場合に該設定可能と判定されなかった理由をユーザに通知する通知手段を備えたことを特徴とする請求項５に記載の画像形成装置。
【請求項７】  画像データに基づいて用紙に画像を形成する画像形成装置と、情報処理装置とをネットワークで接続して成る画像形成システムにおける前記画像形成装置の設定方法であって、
前記画像形成装置に対する設定内容に関するユーザ入力を前記情報処理装置から受け付ける設定内容入力ステップと、
前記設定内容入力ステップによって受け付けた設定内容が、前記画像形成装置が取り扱うことができる文字、記号で構成されている場合にのみ設定可能と判定する判定ステップと、
前記判定ステップによって前記設定内容が設定可能と判定された場合に該設定内容に基づいた設定を行う設定ステップと、
を有することを特徴とする画像形成システムにおける設定方法。
【請求項８】  前記判定ステップは、前記設定内容が、該設定内容が設定される項目に予め定められた規則に反するものでない場合にのみ設定可能と判定する第１の判定ステップと、前記設定内容が、該画像形成装置が取り扱うことができる文字、記号で構成されている場合にのみ設定可能と判定する第２の判定ステップと、を有し、
前記設定ステップは、前記第１の判定ステップおよび第２の判定ステップによって前記設定内容が設定可能と判定された場合に該設定内容に基づいた設定を行う、
ことを特徴とする請求項７に記載の画像形成システムにおける設定方法。
【請求項９】  前記第１の判定ステップおよび第２の判定ステップによって前記設定内容が設定可能と判定されなかった場合に該設定可能と判定されなかった理由をユーザに通知する通知ステップを備えたことを特徴とする請求項８に記載の画像形成システムにおける設定方法。
【手続補正３】
【補正対象書類名】明細書
【補正対象項目名】０００１
【補正方法】変更
【補正の内容】
【０００１】
【発明の属する技術分野】
本発明は画像形成システム、画像形成装置およびその設定方法に関し、詳しくは画像形成装置と情報処理装置とがネットワークで接続されて成る画像形成システム、画像形成装置およびその設定方法に関する。
【手続補正４】
【補正対象書類名】明細書
【補正対象項目名】００１３
【補正方法】変更
【補正の内容】
【００１３】
本発明は上記の点にかんがみてなされたもので、ネットワークに接続された画像形成装置と情報処理装置とから成る画像形成システムにおいて、パソコン等の情報処理装置から画像形成装置に対する操作、指示を入力する際に、ユーザが入力した文字や記号によって画像形成装置の動作異常が生じないようにするとともに、ユーザに混乱を与えることがない画像形成システム、画像形成装置およびその設定方法を提供することを目的とする。
【手続補正５】
【補正対象書類名】明細書
【補正対象項目名】００１４
【補正方法】変更
【補正の内容】
【００１４】
【課題を解決するための手段】
本発明は上記の目的を達成するために、画像データに基づいて用紙に画像を形成する画像形成装置と、情報処理装置とをネットワークで接続して成る画像形成システムにおいて、前記情報処理装置が、ユーザが前記画像形成装置に対する設定内容を入力する設定内容入力手段と、前記設定内容入力手段によって入力された設定内容を前記画像形成装置に送信する設定内容送信手段とを有し、前記画像形成装置が、前記設定内容送信手段によって送信された設定内容を受信する設定内容受信手段と、前記設定内容受信手段によって受信した設定内容が、該画像形成装置が取り扱うことができる文字、記号で構成されている場合にのみ設定可能と判定する判定手段と、前記判定手段によって前記設定内容が設定可能と判定された場合に該設定内容に基づいた設定を行う設定手段とを有することを特徴とする。
【手続補正６】
【補正対象書類名】明細書
【補正対象項目名】００１５
【補正方法】変更
【補正の内容】
【００１５】
また、本発明は請求項１に記載の発明において、前記判定手段は、前記設定内容受信手段によって受信した設定内容が、該設定内容が設定される項目に予め定められた規則に反するものでない場合にのみ設定可能と判定する第１の判定手段と、前記設定内容受信手段によって受信した設定内容が、該画像形成装置が取り扱うことができる文字、記号で構成されている場合にのみ設定可能と判定する第２の判定手段と、を有し、前記設定手段は、前記第１の判定手段および第２の判定手段によって前記設定内容が設定可能と判定された場合に該設定内容に基づいた設定を行う、ことを特徴とする。
また、本発明は請求項２に記載の発明において、前記第１の判定手段および第２の判定手段によって前記設定内容が設定可能と判定されなかった場合に該設定可能と判定されなかった理由をユーザに通知する通知手段を備えたことを特徴とする。
また、本発明は、ネットワークを介して情報処理装置と接続される画像形成装置において、前記情報処理装置から送信された設定内容を受信する設定内容受信手段と、前記設定内容受信手段によって受信した設定内容が、該画像形成装置が取り扱うことができる文字、記号で構成されている場合にのみ設定可能と判定する判定手段と、前記判定手段によって前記設定内容が設定可能と判定された場合に該設定内容に基づいた設定を行う設定手段と、を有することを特徴とする。
また、本発明は請求項４に記載の発明において、前記判定手段は、前記設定内容受信手段によって受信した設定内容が、該設定内容が設定される項目に予め定められた規則に反するものでない場合にのみ設定可能と判定する第１の判定手段と、前記設定内容受信手段によって受信した設定内容が、該画像形成装置が取り扱うことができる文字、記号で構成されている場合にのみ設定可能と判定する第２の判定手段と、を有し、前記設定手段は、前記第１の判定手段および第２の判定手段によって前記設定内容が設定可能と判定された場合に該設定内容に基づいた設定を行う、ことを特徴とする。
また、本発明は請求項５に記載の発明において、前記第１の判定手段および第２の判定手段によって前記設定内容が設定可能と判定されなかった場合に該設定可能と判定されなかった理由をユーザに通知する通知手段を備えたことを特徴とする。
また、本発明は、画像データに基づいて用紙に画像を形成する画像形成装置と、情報処理装置とをネットワークで接続して成る画像形成システムにおける前記画像形成装置の設定方法であって、前記画像形成装置に対する設定内容に関するユーザ入力を前記情報処理装置から受け付ける設定内容入力ステップと、前記設定内容入力ステップによって受け付けた設定内容が、前記画像形成装置が取り扱うことができる文字、記号で構成されている場合にのみ設定可能と判定する判定ステップと、前記判定ステップによって前記設定内容が設定可能と判定された場合に該設定内容に基づいた設定を行う設定ステップと、を有することを特徴とする。
また、本発明は請求項７に記載の発明において、前記判定ステップは、前記設定内容が、該設定内容が設定される項目に予め定められた規則に反するものでない場合にのみ設定可能と判定する第１の判定ステップと、前記設定内容が、該画像形成装置が取り扱うことができる文字、記号で構成されている場合にのみ設定可能と判定する第２の判定ステップと、を有し、前記設定ステップは、前記第１の判定ステップおよび第２の判定ステップによって前記設定内容が設定可能と判定された場合に該設定内容に基づいた設定を行う、ことを特徴とする。
また、本発明は請求項８に記載の発明において、前記第１の判定ステップおよび第２の判定ステップによって前記設定内容が設定可能と判定されなかった場合に該設定可能と判定されなかった理由をユーザに通知する通知ステップを備えたことを特徴とする。
【手続補正７】
【補正対象書類名】明細書
【補正対象項目名】００４７
【補正方法】変更
【補正の内容】
【００４７】
【発明の効果】
以上説明したように、本発明によれば、ネットワークに接続された画像形成装置と情報処理装置とから成る画像形成システムにおいて、パソコン等の情報処理装置から画像形成装置に対する操作、指示を入力する際に、ユーザが入力した文字や記号によって画像形成装置の動作異常が生じないようにするとともに、ユーザに混乱を与えることがない画像形成システム、画像形成装置およびその設定方法を提供することができる。